(57)【要約】【課題】簡単な構成で、防水性を確保しながらキートップの押圧感触の悪化を防止することができる。【解決手段】筐体３にキートップ１０を露出させるキートップ収容部７を形成し、このキートップ収容部７に押し子用貫通孔８を形成する。押し子用貫通孔８に装着される防水シート１１に防水シート１１よりも硬質の部材よりなる押し子１２を一体成形する。そして、押し子１２の先端側を基端側よりも幅広とする。【選択図】図１
2015002159.tif 000002
【特許請求の範囲】
【請求項１】
キートップを露出させるキートップ収容部が形成された筐体と、
上記キートップ収容部に形成された押し子用貫通孔と、
上記押し子用貫通孔に装着される防水シートと、
上記防水シートに一体形成された該防水シートよりも硬質の部材よりなる押し子と、
上記筐体内のメイン基板に接続される、上記押し子先端に押圧される押圧式スイッチとを備え、
上記押し子の先端側は、基端側よりも幅広となっている
ことを特徴とする携帯端末。
【請求項２】
請求項１に記載の携帯端末において、
上記押し子の先端の面積は、該押し子先端に押圧される上記押圧式スイッチの被押圧部の面積よりも広くなっている
ことを特徴とする携帯端末。
【請求項３】
請求項２に記載の携帯端末において、
上記押し子の先端には、上記被押圧部を囲むようにガイド用突起が形成されている
ことを特徴とする携帯端末。
【請求項４】
請求項２に記載の携帯端末において、
上記押し子の先端には、上記被押圧部を包み込むガイド用凹部が形成されている
ことを特徴とする携帯端末。
【発明の詳細な説明】
【技術分野】
【０００１】
本発明は、キートップの押圧力を押し子で押圧式スイッチに伝える携帯端末に関するものである。
【背景技術】
【０００２】
従来より、防水パッキンを筐体に設けた貫通孔に嵌め込んで防水し、キートップに形成した押し子が防水パッキンを介して押圧式スイッチの被押圧部を押圧し、この押圧式スイッチを操作する携帯端末は知られている（例えば、特許文献１参照）。
【０００３】
また、例えば、特許文献２のように、キートップから延びる押し子で直接スイッチ本体を押すものが知られている。
【先行技術文献】
【特許文献】
【０００４】
【特許文献１】特開２０１３−０５４９９４号公報
【特許文献２】特開２０１０−１４６８７５号公報
【発明の概要】
【発明が解決しようとする課題】
【０００５】
しかしながら、特許文献１のような携帯端末では、弾性部材である防水パッキンを介して押圧式スイッチの被押圧部を押圧しているので、キートップを押す感覚が悪いという問題がある。
【０００６】
また、特許文献２のような構造では、硬質の押し子で直接スイッチ本体を押すことができるものの、押し子の先端の押圧部分の面積が狭いので、押し子先端とスイッチ本体との位置が少しでもずれると、キートップの押圧の感触が悪化する。
【０００７】
本発明は、かかる点に鑑みてなされたものであり、その目的とするところは、簡単な構成で、防水性を確保しながらキートップの押圧感触の悪化を防止することにある。
【課題を解決するための手段】
【０００８】
上記の目的を達成するために、この発明では、防水シートに一体に設けた、押圧部の面積の広い硬質の押し子で被押圧部を押圧するようにした。
【０００９】
具体的には、本発明では、キートップを露出させるキートップ収容部が形成された筐体と、
上記キートップ収容部に形成された押し子用貫通孔と、
上記押し子用貫通孔に装着される防水シートと、
上記防水シートに一体形成された該防水シートよりも硬質の部材よりなる押し子と、
上記筐体内のメイン基板に接続される、上記押し子先端に押圧される押圧式スイッチとを備え、
上記押し子の先端側は、基端側よりも幅広となっている。
【００１０】
上記の構成によると、防水シートよりも硬質部材よりなる押し子で直接に被押圧部を押圧するので、キートップの押圧感触が悪化しない。そして、押し子先端を基端側よりも幅広にしたので、多少のずれがあっても感触が悪化することなくキートップの操作が行えると共に、防水シートのサイズが大きくなるのを防ぐことができる。
【発明の効果】
【００１１】
以上説明したように、本発明によれば、押し子先端を基端側よりも幅広で、防水シートよりも硬質の押し子の先端で被押圧部を押圧するようにしたことにより、簡単な構成で、防水性を確保しながらキートップの押圧感触の悪化を防止することができる。
【図面の簡単な説明】
【００１２】
【図１】図２（ａ）のＩ−Ｉ線拡大断面図である。
【図２】携帯電話機を示し、（ａ）が正面から見た斜視図で、（ｂ）が背面から見た斜視図である。
【図３】携帯電話機を背面側から見た分解斜視図である。
【図４】本発明の実施形態の作用を説明するための押し子及びその周辺の概略を示す断面図であり、（ａ）がずれのない状態を示し、（ｂ）が押圧式スイッチが水平にずれた状態を示し、（ｃ）がキートップが斜めに傾いた状態を示す。
【図５】従来技術を示す図４相当図である。
【図６】本発明の実施形態の変形例１に係る図１相当図である。
【図７】本発明の実施形態の変形例２に係る図１相当図である。
【図８】本発明の実施形態の変形例３に係る押し子及び防水シートを示す断面図である。
【発明を実施するための形態】
【００１３】
以下、本発明の実施形態を図面に基づいて説明する。
【００１４】
図２及び図３は、本発明の実施形態の携帯端末としての携帯電話機１を示し、この携帯電話機１は、正面側に表示部２が収容された筐体３と、この筐体３を覆うリアカバー４とを備えている。筐体３及びリアカバー４は、例えば樹脂成形品よりなる。
【００１５】
筐体３の表示部２と反対側には、充電池５が収容され、その背面側に携帯電話機１を制御するメイン基板６が収容されている。
【００１６】
そして、図１にも拡大して示すように、筐体３の上端には、キートップ１０を露出させるキートップ収容部７が凹陥されている。このキートップ収容部７には、下方へ貫通する略円形の押し子用貫通孔８が形成されている。リアカバー４には、キートップ収容部７に対応して長円形状のカバー側露出孔９が形成されている。
【００１７】
押し子用貫通孔８は、シリコンゴム等で成形された防水シート１１で覆われて防水されている。防水シート１１は、矩形板状であり、押し子用貫通孔８に対応する部分には、シリコンゴムなどの弾性部材よりも硬質の例えば樹脂成形品よりなる押し子１２が弾性部材と一体成形されている。この押し子１２の奥側には、押圧式スイッチ１３が配置されている。押圧式スイッチ１３は、メイン基板６に接続され、図３に拡大して示すように、その上端に押し子１２の先端に押圧されることで操作される例えば上面が矩形状の被押圧部１３ａが設けられている。
【００１８】
そして、本発明の特徴として、図１に示すように、押し子１２の先端の下面の面積は、押し子１２先端に押圧される押圧式スイッチ１３の被押圧部１３ａの上面の面積よりも広くなっている。押し子１２は、円柱状で、その先端側は、鍔状に基端側よりも幅広となっている。本実施形態では、円形の押し子１２先端の直径が、矩形状の被押圧部１３ａの対角線の長さよりも長くなっている。これにより、防水シート１１が大きくなるのを抑制しながら、押し子１２先端の面積を確保できるようになっている。
【００１９】
次いで、本実施形態の作用について図面を用いて説明する。
【００２０】
図４（ａ）に示すように、押し子１２先端と被押圧部１３ａとの間にずれのない状態で、キートップ１０が真下に押された場合には、硬質の押し子１２の先端が直接に被押圧部１３ａを押圧するので、キートップ１０の押圧感触がよい。図４（ｂ）に示すように、例えば製造誤差等により、押し子１２の先端と被押圧部１３ａの中心とがずれていたとしても、押し子１２の先端の面積が被押圧部１３ａの面積よりも広いので、押し子１２が被押圧部１３ａを偏りのないほぼ均等の荷重で押圧できる。図４（ｃ）に示すように、キートップ１０が傾くように押圧された場合でも、押し子１２の力が被押圧部１３ａにかかる作用点Ｐ１からキートップ１０が押し子１２の基端側を押す荷重点Ｐ２までの距離Ｌが短いので、モーメントが小さくなり、被押圧部１３ａに対して押し子１２の傾きを小さくでき、感触の悪化を改善することができる。このように、これらのどの場合でも、防水シート１１よりも硬質部材よりなる押し子１２で確実に被押圧部１３ａを押圧するので、キートップ１０の押圧感触が悪化しない。そして、押し子１２先端の面積が被押圧部１３ａよりも広いので、多少のずれがあっても感触が悪化することなく操作が行える。
【００２１】
このことは、図５で示す従来の構造と比較すると、明確となる。図５（ａ）に示すように、製造誤差がほとんどなく、キートップ１０’が被押圧部１３ａ’に向かって真下に押される場合でも、押し子１２’が弾性部材で構成されているので、キートップ１０’の押圧感触はよくない。図５（ｂ）に示すように、例えば製造誤差等により、押し子１２’の先端と被押圧部１３ａ’の中心とがずれてしまうと、押し子１２’の先端の面積が被押圧部１３ａ’の面積よりも狭いので、押し子１２’の荷重分布に偏りが出て斜め押しすることとなり、キートップ１０’の押圧感触が悪化する。図４（ｃ）に示すようにキートップ１０’が傾くように押圧された場合、押し子１２’の力が被押圧部１３ａにかかる作用点Ｐ１’からキートップ１０’が押し子１２’の基端側を押す荷重点Ｐ２’までの距離Ｌ’が長いので、モーメントが大きくなり、被押圧部１３ａ’に対する押し子１２’の傾きが大きくなりやすく、キートップ１０’の押圧感触の悪化が避けられない。
【００２２】
以上説明したように、本発明の実施形態によれば、押し子１２先端を基端側よりも幅広で防水シート１１よりも硬質の押し子１２の先端で被押圧部１３ａを押圧するようにしたことにより、簡単な構成で、防水性を確保しながらキートップ１０の押圧感触の悪化を防止することができる。
【００２３】
−実施形態の変形例１−
図６は本発明の実施形態の変形例１を示し、押圧式スイッチ１１３の構成が異なる点で上記実施形態と異なる。なお、以下の各変形例では、図１〜図４と同じ部分については同じ符号を付してその詳細な説明は省略する。
【００２４】
本変形例では、押圧式スイッチ１１３がドーム式のものであり、その円板状の接触部１１３ａの上面の面積よりも、押し子１２の先端の下面の面積が大きくなっている。図６に示すような接触部１１３ａがない場合でも、実際にドーム状部分の押圧される部分（接触部１１３ａ相当）の上面の面積は、押し子１２の先端の下面の面積よりも小さい。
【００２５】
このため、本変形例においても、簡単な構成で、防水性を確保しながらキートップ１０の押圧感触の悪化を防止することができる。
【００２６】
−実施形態の変形例２−
図７は本発明の実施形態の変形例２を示し、押し子２１２の先端の形状が異なる点で上記実施形態と異なる。
【００２７】
すなわち、本変形例の押し子２１２の先端には、被押圧部１３ａを囲むようにガイド用突起２１２ａが形成されている。この突起２１２ａは、環状に設けてもよいし、複数の突起２１２ａを離散的に設けてもよく、被押圧部１３ａの形状に合わせて形成するとよい。図７では、突起２１２ａは、樹脂製の押し子２１２に一体成形されているが、防水シート２１１の弾性部材によって形成してもよい。
【００２８】
本変形例では、ガイドの役割をする突起２１２ａが押し子２１２先端のずれを吸収してキートップ１０の押圧感触の悪化を防ぎながら確実に押圧式スイッチ１３を操作できる。
【００２９】
−実施形態の変形例３−
図８は本発明の実施形態の変形例３を示し、押し子３１２の先端の形状が異なる点で上記実施形態と異なる。
【００３０】
本変形例では、押し子３１２の先端には、被押圧部１３ａを包み込むようにガイド用凹部３１２ａが凹陥されている。ガイド用凹部３１２ａは、押圧式スイッチ１３の被押圧部１３ａの形状に合わせた形状とすればよく、被押圧部１３ａを押圧しやすい上に包み込みやすい形状が望ましい。例えば、断面円弧状に凹陥されている。
【００３１】
本変形例では、ガイド用凹部３１２ａが押し子３１２先端のずれを吸収してキートップ１０の押圧感触の悪化を防ぎながら確実に押圧式スイッチ１３を操作できる。
【００３２】
（その他の実施形態）
本発明は、上記実施形態について、以下のような構成としてもよい。
【００３３】
すなわち、上記実施形態では、キートップ１０を筐体３の上端に設けたが、その設置場所は特に限定されず、また、筐体３のキートップ収容部７の周辺がリアカバー４で覆われていなくてもよい。
【００３４】
上記実施形態では、携帯端末は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよい。
【００３５】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３６】
１      携帯電話機（携帯端末）
２      表示部
３      筐体
４      リアカバー
５      充電池
６      メイン基板
７      キートップ収容部
８      押し子用貫通孔
９      カバー側露出孔
１０      キートップ
１１，２１１  防水シート
１２，２１２，３１２  押し子
１３      押圧式スイッチ
１３ａ    被押圧部
１１３      押圧式スイッチ
１１３ａ    接触部
２１２ａ    ガイド用突起
２１２ａ    突起
３１２ａ    ガイド用凹部
【図１】
2015002159.tif 000003
【図２】
2015002159.tif 000004
【図３】
2015002159.tif 000005
【図４】
2015002159.tif 000006
【図５】
2015002159.tif 000007
【図６】
2015002159.tif 000008
【図７】
2015002159.tif 000009
【図８】
2015002159.tif 000010